(57)【特許請求の範囲】
【請求項１】
収納されている液体、気体、および／または固体である噴射物を、ガスの圧力で噴射させる噴射装置であって、
起動信号を入力して所定量のガスを発生させるガス発生器と、噴射物収容器とを備え、
該噴射物収容器は、該噴射物の収納された収納袋を内蔵する収容室と、該ガス発生器の発生するガスが該収容室に放出されるガス放出口とを有すると共に、該収容室が口栓で塞がれており、
該口栓には、該収容室の内部と外界とを通じる噴射路が形成されると共に、該噴射路の該収容室側の口部周囲には、該収納袋を破断する破断刃が形成され、
該破断刃の刃先近傍を周回する該収容室の内壁部分と該収納袋とを環状に固着して、該収容室が該ガス放出口側と該噴射路側とに区画されて構成されていて、
該ガス放出口と該収納袋との間には、少なくとも該ガス放出口を覆う大きさで形成された耐燃性のガス遮蔽幕が配置されており、
該ガス遮蔽幕は、該ガス放出口を覆う位置からずれないように、該ガス放出口の周辺部または該収容室の内壁に、該ガス遮蔽幕の一部が位置決め固定されていることを特徴とする噴射装置。
【請求項２】
前記ガス遮蔽幕が、その縁部を一ヵ所、縁部の対向する二ヵ所、または、縁部の三ヵ所を、前記位置決め固定されていることを特徴とする請求項１に記載の噴射装置。
【請求項３】
前記ガス遮蔽幕が、筒状に形成された前記収容室の内壁との間に隙間ができる大きさで形成されていることを特徴とする請求項１又は２に記載の噴射装置。
【請求項４】
前記ガス遮蔽幕が、耐燃性を有する薄い紙、布、樹脂シート、または、マイカシートであることを特徴とする請求項１から３のいずれかに記載の噴射装置。
【発明の詳細な説明】
【技術分野】
【０００１】
本発明は、内部に収容する液体、気体、固体を、ガスの圧力で噴射させる噴射装置に関するものである。
【背景技術】
【０００２】
例えば液体を噴射させる噴射装置には、自動販売機、現金自動預け払い機、自動両替機、現金収納ケースなどに装備され、盗難などの被害の際に、内蔵する着色インク液を噴射して紙幣束を汚損させるものがある。このような噴射装置が、例えば特許文献１に記載されている。
【０００３】
特許文献１に記載された汚濁液噴出装置は、円筒形状の汚濁液貯蔵容器の内空が、容器軸方向に沿って容器内を移動可能な可動円板によって、ガス充填室と汚濁液収納袋内蔵室とに区画されている。この装置では、ガス発生器から放出されるガスの圧力によって可動円板が収納袋内蔵室の方に移動して、汚濁液収納袋を圧縮する。同時に、可動円板と汚濁液貯蔵容器との隙間からガスが汚濁液収納袋の方へ流れ込み汚濁液収納袋を圧縮する。この圧縮により、汚濁液収納袋内蔵室に設けられた口栓の鋭利なエッジで、汚濁液収納袋が破断して、口栓の液出口から汚濁液が外部に噴射する。汚濁液収納袋は、口栓のエッジ部分に対応して周回する容器の内壁に固着されているため、ガスは外界に漏れ出ない。
【先行技術文献】
【特許文献】
【０００４】
【特許文献１】特開２００６−１５９０１２号公報
【発明の概要】
【発明が解決しようとする課題】
【０００５】
特許文献１に記載された噴射装置では、円筒形容器の軸方向に沿って可動円板をスムーズに移動させるために、可動円板が容器内壁に接触した際に互いが滑りあうよう、可動円板の縁を滑らかに形成する必要がある。また、ガスの圧力で折れ曲がったり変形したりしないように、可動円板を所定の強度で形成する必要がある。これらから、可動円板が高価なものになり、製品コストが高くなってしまうという課題があった。
【０００６】
本発明は前記の課題を解決するためになされたもので、ガスの圧力で効率よく噴射物を噴射させることが可能でありながら、製品コストを低減しうる噴射装置を提供することを目的とする。
【課題を解決するための手段】
【０００７】
前記の目的を達成するためになされた、特許請求の範囲の請求項１に記載された噴射装置は、収納されている液体、気体、および／または固体である噴射物を、ガスの圧力で噴射させる噴射装置であって、起動信号を入力して所定量のガスを発生させるガス発生器と、噴射物収容器とを備え、該噴射物収容器は、該噴射物の収納された収納袋を内蔵する収容室と、該ガス発生器の発生するガスが該収容室に放出されるガス放出口とを有すると共に、該収容室が口栓で塞がれており、該口栓には、該収容室の内部と外界とを通じる噴射路が形成されると共に、該噴射路の該収容室側の口部周囲には、該収納袋を破断する破断刃が形成され、該破断刃の刃先近傍を周回する該収容室の内壁部分と該収納袋とを環状に固着して、該収容室が該ガス放出口側と該噴射路側とに区画されて構成されていて、該ガス放出口と該収納袋との間には、少なくとも該ガス放出口を覆う大きさで形成された耐燃性のガス遮蔽幕が配置されており、該ガス遮蔽幕は、該ガス放出口を覆う位置からずれないように、該ガス放出口の周辺部または該収容室の内壁に、該ガス遮蔽幕の一部が位置決め固定されていることを特徴とする。
【０００８】
請求項２に記載された噴射装置は、請求項１に記載されたもので、前記ガス遮蔽幕が、その縁部を一ヵ所、縁部の対向する二ヵ所、または、縁部の三ヵ所を、前記位置決め固定されていることを特徴とする。
請求項３に記載された噴射装置は、請求項１又は２に記載されたもので、前記ガス遮蔽幕が、筒状に形成された前記収容室の内壁との間に隙間ができる大きさで形成されていることを特徴とする。
請求項４に記載された噴射装置は、請求項１から３のいずれかに記載されたもので、前記ガス遮蔽幕が、耐燃性を有する薄い紙、布、樹脂シート、または、マイカシートであることを特徴とする。
【発明の効果】
【０００９】
本発明の噴射装置によれば、口栓に形成された破断刃近くで噴射物の収納袋を収容室の内壁に環状に固着して、収容室をガス放出口側と噴射路側とに区画してシールしていることにより、ガス発生器の発生したガスが噴射路から外界に漏れ出ないのでガスを無駄にすることなく効率よく収納袋を圧縮することができる。この収納袋の圧縮による変形で収納袋が破断刃によって破断され、さらに収納袋がガスによって圧縮されるため、収納袋内の噴射物を瞬時に噴射させることができる。背景技術に記載した従来の噴射装置のような所定の強度等を有する可動円板を備えないので、部品点数を減らすことができ、ひいては製品コストを低減することができる。また、従来の可動円板がなくても収納袋は充分に圧縮されるので、従来の可動円板を有する噴射装置と同様に、効率よく噴射物を噴射させることができる。
【００１０】
本発明の噴射装置によれば、ガス放出口と収納袋との間には、少なくともガス放出口を覆う大きさで形成された耐燃性を有するガス遮蔽幕が配置されていることにより、放出されるガスや爆轟波、燃焼残渣の収納袋への直撃が防止され、収納袋の破損を防止することができる。したがって、収納袋は耐燃性を有する必要がないので安価なものを使用することができる。さらに、ガス遮蔽幕は、収納袋にガス等の直撃を阻止可能であるものであれば、撓んだり変形したりしてもよく、収容室内を移動させる必要もないので、従来の噴射装置の可動円板よりも安価な材質で形成することができ、製品コストを低減することができる。
【図面の簡単な説明】
【００１１】
【図１】本発明を適用する噴射装置の断面図である。
【図２】本発明を適用する噴射装置の使用状態を示す断面図である。
【図３】本発明を適用する噴射装置の口栓の斜視図である。
【発明を実施するための形態】
【００１２】
以下、本発明の実施の形態を詳細に説明するが、本発明の範囲はこれらの例に限定されるものではない。
【００１３】
図１に示す噴射装置１は、一例として、非図示の自動現金預け払い装置の現金収納ケース内に設置されて、盗難などの際に着色液を噴射して現金を着色汚損させるためのものである。この噴射装置１は、起動信号を入力して所定量のガスを発生させるガス発生器２、および噴射物収容器３を備えている。
【００１４】
ガス発生器２は、アゾ化合物などのガス発生剤２１、ガス発生剤２１を伝熱体などで加熱する起動部２２、および、起動部２２に起動信号を外部から入力するためのリード線２３を備えている。
【００１５】
噴射物収容器３は、切削加工や鋳物若しくは成形による円筒形状の金属又は樹脂製であり、その内空は、青色インクなどの有色インクや紫外線に反応するインク等の液体１１の収納された収納袋４を内蔵する収容室５になっている。この噴射物収容器３の円筒の一端側には、ガス発生器２が装着されると共に、そのガス発生器２の発生するガスを収容室５に放出するためのガス放出口１０が形成されている。また、噴射物収容器３の円筒の他端側には、口栓６が装着されて、収容室５がこの口栓６で塞がれている。
【００１６】
口栓６には、収容室５の内部と外界とを通じる噴射路１２が形成されている。この噴射路１２には、非図示の噴射ノズルなどが取り付けられる。また、図１，３に示すように、口栓６には、噴射路１２の収容室５側の口部周囲に、収納袋４を破断する環状の破断刃７が形成されている。この口栓６の外周縁部は、破断刃７の刃先７ａと同じ高さで、破断刃７を取り囲む壁状に形成されている。
【００１７】
図１に示す収納袋４は、ポリエチレンなどの柔軟な樹脂製の袋であり、青色インクなどの有色インクや紫外線に反応するインク等の液体１１で満たされて密封されている。この収納袋４は、刃先７ａの近傍を周回する収容室５の内壁部分に、接着剤８で環状に固着されている。この固着により、収容室５がガス放出口１０側と噴射路１２側とに区画されてシールされている。収納袋４は、刃先７ａに近接しつつ非接触となるように、内壁に固着することが望ましい。また、収納袋４は、口栓６の外周縁部に固着されていてもよい。
【００１８】
接着剤８には、一例としてＲＴＶ（Ｒｏｏｍ  Ｔｅｍｐｅｒａｔｕｒｅ  Ｖｕｌｃａｎｉｚｉｎｇ）ゴム、またはシリコーン系接着剤が用いられる。
【００１９】
ガス放出口１０と収納袋４との間には、少なくともガス放出口１０を覆う大きさで形成された、耐燃性のガス遮蔽幕９が配置されている。ガス遮蔽幕９には、耐燃性を有する薄い紙、布、樹脂シート（例えばマイラーシート（マイラーは登録商標））、または、マイカシートが用いられる。ガス遮蔽幕９の形状は、ガス放出口１０を覆う大きさであれば、円形状、四角形状、または、多角形状など任意の形状のものが用いられる。
【００２０】
ガス遮蔽幕９がガス放出口１０を覆う位置からずれないように、ガス放出口１０の周辺部、または、収容室５の内壁に、ガス遮蔽幕９の一部を接着剤などで位置決め固定しておいてもよい。一例として、ガス遮蔽幕９の縁部を一ヵ所、もしくは縁部の対向する二か所、または、縁部の三か所を固定する。
【００２１】
この噴射装置１は、以下のように用いられる。
【００２２】
例えば、非図示の自動現金預け払い装置が扉のこじ開けなどの異常を検知した際に、噴射装置１に起動信号を出力する。この起動信号がガス発生器２のリード線２３に入力されると、起動部２２が直ちに加熱し、ガス発生剤２１が性状変化して一挙に大量のガスを発生する。
【００２３】
図２に二点鎖線矢印で示すように、発生したガスは、爆轟波や燃焼残渣と共にガス放出口１０から収容室５内に急激に放出されるが、これらはガス遮蔽幕９に当たるため、収納袋４を直撃しない。このため、収納袋４が高強度で耐燃性の材質で形成されていなくても、その破損を防止することができる。
【００２４】
同図に示すように、収納袋４は、収容室５内のガス圧力の急激な高まりで圧縮されて変形し、口栓６に押し付けられて切断刃７によって破断して、さらにガス圧力で圧縮される。これにより、同図に二点鎖線白抜矢印で示すように、収納袋４内の液体１１が、噴射路１２から噴射し、非図示の紙幣に液体１１を吹き掛けることができる。
【００２５】
この際に、収納袋４の接着剤８による固着でガス放出口１０側と噴射路１２側とがシールされているため、ガスは噴射路１２から漏れ出ないので、ガスを無駄にすることなく効率的に収納袋４を圧縮することができ、液体１１を最後まで勢いよく噴射させることができる。噴射装置１は、一例として、起動信号の入力から数１００ｍｓ程度で液体１１の噴射を完了する。
【００２６】
ガス遮蔽幕９は、ガスの放出の勢いで撓んだり変形したり収容室内を移動したりしたとしても、ガス遮蔽幕９にガスが直撃することで、収納袋４の破損を防止できる。
【００２７】
この場合、ガス遮蔽幕９の一部が位置決め固定されていると、ガス遮蔽幕９がガスの放出で移動しないので、ガス遮蔽幕９にガスが確実に当たるため、収納袋４へのガスの直撃が防止され、収納袋４の破損を確実に防止することができる。
【００２８】
なお、上記では、着色した溶液を収納袋４に収容した例について説明したが、着色剤を添加したゲル、着色した粘着性の粉を収容してもよい。また、噴射装置１は、紙幣を汚損させる用途以外にも用いることができ、収納袋４に、液体、気体、および／または、粉や粒状の固体を収納して、それを噴射させることができる。
【００２９】
また、上記ではガス遮蔽幕９を備えた例について説明したが、この幕９を備えなくてもよい。その場合、ガスが収納袋４を直撃するので、例えばアルミニウム蒸着したポリエチレンなどの高強度で耐熱性を有する素材で収納袋４を形成する必要があるが、部品点数を減らすことができる。
【符号の説明】
【００３０】
１は噴射装置、２はガス発生器、３は噴射物収容器、４は収納袋、５は収容室、６は口栓、７は破断刃、７ａは刃先、８は接着剤、９はガス遮蔽幕、１０はガス放出口、１１は液体、１２は噴射路、２１はガス発生剤、２２は起動部、２３はリード線である。
【図１】
0005530675.tif 000002
【図２】
0005530675.tif 000003
【図３】
0005530675.tif 000004